(57)【要約】【課題】メンテナンスする際の作業性を向上した熱交換機器を提供する。【解決手段】本体１と、ルーバー７と、第１側面と、第２側面と、を備えた熱交換機器において、ルーバー７は、給気パネル９、環気パネル１０、パネル保持部１１、ルーバーフレーム１４および点検パネル１６を含み、給気パネル９および環気パネル１０はパネル保持部１１によりルーバーフレーム１４に保持され、ルーバーフレーム１４は点検開口２５を有し、点検パネル１６は点検開口２５に設けられ、ルーバー７は、給気パネル９側に給気口１２、環気パネル１０側に環気口１３を有し、本体１の第２側面にメンテナンスパネル１５が設けられ、給気パネル９は、第２側面２９から突出する位置まで延長する延長部１８を含み、点検開口２５および点検パネル１６は延長部１８の直上に位置する熱交換機器。【選択図】図１
2019011877.tif 000002
【特許請求の範囲】
【請求項１】
箱状の本体と、
前記本体の下方に設けられたルーバーと、
前記本体内に設けられた給気送風機、排気送風機および全熱交換素子とを備えた熱交換機器において、
前記ルーバーは、給気パネル、環気パネル、パネル保持部、ルーバーフレームおよび点検パネルを含み、
前記給気パネルおよび前記環気パネルは前記パネル保持部により前記ルーバーフレームに保持され、
前記ルーバーフレームは点検開口を有し、
前記点検パネルは前記点検開口に設けられ、
前記ルーバーは、前記給気パネル側に給気口、前記環気パネル側に環気口を有し、
前記本体の第１側面に外気口および排気口が設けられ、
前記本体の第２側面にメンテナンスパネルが設けられ、
前記給気送風機により前記外気口から前記給気口へ屋外の空気が送風される給気風路が形成され、
前記排気送風機により前記環気口から前記排気口へ室内の空気が送風される排気風路が形成され、
前記全熱交換素子は前記給気風路と前記排気風路とが交差する位置に設けられ、
前記給気パネルは、前記第２側面から突出する位置まで延長する延長部を含み、
前記点検開口および前記点検パネルは前記延長部の直上に位置することを特徴とする熱交換機器。
【請求項２】
前記給気パネルは、前記本体の直下に位置する非延長部を含み、
前記給気口は、前記非延長部側には設けられず、前記延長部側に設けられることを特徴とする請求項１に記載の熱交換機器。
【請求項３】
前記本体は天井の上方に設けられ、
前記給気パネルおよび前記環気パネルは室内空間に露出し、
前記給気口から流れる空気は前記天井に平行な方向に沿って流れることを特徴とする請求項１または２に記載の熱交換機器。
【請求項４】
前記給気送風機は、下方を向いた給気吐出口を有し、
前記給気吐出口から下方に吐き出された空気は、前記給気パネルの前記非延長部に当たることにより進行方向を変えられた後に、前記給気口から流れることを特徴とする請求項２または３に記載の熱交換機器。
【請求項５】
前記給気送風機から吐き出された空気は、前記パネル保持部および前記給気パネルに囲まれた領域を通過した後に、前記給気口から流れることを特徴とする請求項２〜４の何れか１項に記載の熱交換機器。
【請求項６】
前記パネル保持部は、前記延長部の一部と重なるように延在して設けられることを特徴とする請求項３に記載の熱交換機器。
【請求項７】
前記パネル保持部は、前記延長部の５０％〜９５％と重なるように延在して設けられることを特徴とする請求項６に記載の熱交換機器。
【請求項８】
前記本体は、前記環気口と連通し、室内の空気が吸い込まれる環気吸込口を備え、
前記環気パネルは、前記環気吸込口の直下に設けられ、
前記給気パネルと前記環気パネルとが一体であることを特徴とする請求項１〜７の何れか１項に記載の熱交換機器。
【発明の詳細な説明】
【技術分野】
【０００１】
本発明は、住宅やビル等に使用する熱交換機器に関する。
【背景技術】
【０００２】
従来、この種の熱交換機器のルーバーは、本体下方に配置され、本体をメンテナンスする際にはルーバーを取り外す等して上向きに作業するものが知られている（例えば、特許文献１参照）。
【０００３】
以下、その熱交換機器について図５を参照しながら説明する。
【０００４】
図５に示すように、本体１２１は、室内側吸込口１１３と室内側吐出口１１４を有するルーバー１１５が取付けられ、室外側吐出口１１６と室外側吸込口１１７とを有し、排気用羽根１１８と給気用羽根１１９とそれらを回転させるモータ１２０とを設けている。
【０００５】
本体１２１内にモータ軸の直角方向で、排気用羽根１１８および給気用羽根１１９の吹き出し方向に、互いに独立した通路が交互に積層された複数個の熱交換素子１２２を配置している。
【０００６】
そして、ルーバー１１５の室内側吸込口１１３から吸込んだ吸込空気１１３ａは、排気用羽根１１８を通り熱交換素子１２２を通過して、室外吐出口１１６から排出空気１１６ａとして排気される。
【０００７】
また、室外側吸込口１１７から吸込んだ室外吸込空気１１７ｂは給気用羽根１０７によって熱交換素子１２２を通過させられることにより熱交換をおこない、給気通風路を通じて室内側吐出口１１４から給気空気１１４ｂとして給気される。
【０００８】
本体をメンテナンスする際にはルーバーを外すか一部を開ける等をして本体にアクセスすることになる。
【先行技術文献】
【特許文献】
【０００９】
【特許文献１】特許第４７１５２０５号公報
【発明の概要】
【発明が解決しようとする課題】
【００１０】
このような従来の熱交換機器においては、本体をメンテナンスする際には、下方に設置されたルーバーを外すか一部を開ける等をして本体下面にアクセスし、上向きに作業する構成となっていたので、作業性が悪いという課題を有していた。
【００１１】
そこで本発明は、上記従来の課題を解決するものであり、メンテナンスする際の作業性が向上した熱交換機器を提供することを目的とする。
【課題を解決するための手段】
【００１２】
そして、この目的を達成するために、本発明の一態様に係る熱交換機器は、箱状の本体と、前記本体の下方に設けられたルーバーと、前記本体内に設けられた給気送風機、排気送風機および全熱交換素子とを備えた熱交換機器において、前記ルーバーは、給気パネル、環気パネル、パネル保持部、ルーバーフレームおよび点検パネルを含み、前記給気パネルおよび前記環気パネルは前記パネル保持部により前記ルーバーフレームに保持され、前記ルーバーフレームは点検開口を有し、前記点検パネルは前記点検開口に設けられ、前記ルーバーは、前記給気パネル側に給気口、前記環気パネル側に環気口を有し、前記本体の第１側面に外気口および排気口が設けられ、前記本体の第２側面にメンテナンスパネルが設けられ、前記給気送風機により前記外気口から前記給気口へ屋外の空気が送風される給気風路が形成され、前記排気送風機により前記環気口から前記排気口へ室内の空気が送風される排気風路が形成され、前記全熱交換素子は前記給気風路と前記排気風路とが交差する位置に設けられ、前記給気パネルは、前記第２側面から突出する位置まで延長する延長部を含み、前記点検開口および前記点検パネルは前記延長部の直上に位置するものであり、これにより所期の目的を達成するものである。
【発明の効果】
【００１３】
本発明によれば、メンテナンスする際の作業性が向上した熱交換機器を提供できる。
【図面の簡単な説明】
【００１４】
【図１】本発明の実施の形態１の熱交換機器の概要を示す斜視図
【図２】同熱交換機器の概要を示す側面図
【図３】（ａ）同熱交換機器の点検パネル及び給気パネルが閉じている状態を示す側面断面図（ｂ）同熱交換機器の点検パネル及び給気パネルが開いている状態を示す側面断面図
【図４】同熱交換機器の点検パネル及び給気パネルが開いている状態を示す斜視図
【図５】従来の熱交換機器を示す斜視図
【発明を実施するための形態】
【００１５】
本発明の一態様に係る熱交換機器は、箱状の本体と、前記本体の下方に設けられたルーバーと、前記本体内に設けられた給気送風機、排気送風機および全熱交換素子とを備えた熱交換機器において、前記ルーバーは、給気パネル、環気パネル、パネル保持部、ルーバーフレームおよび点検パネルを含み、前記給気パネルおよび前記環気パネルは前記パネル保持部により前記ルーバーフレームに保持され、前記ルーバーフレームは点検開口を有し、前記点検パネルは前記点検開口に設けられ、前記ルーバーは、前記給気パネル側に給気口、前記環気パネル側に環気口を有し、前記本体の第１側面に外気口および排気口が設けられ、前記本体の第２側面にメンテナンスパネルが設けられ、前記給気送風機により前記外気口から前記給気口へ屋外の空気が送風される給気風路が形成され、前記排気送風機により前記環気口から前記排気口へ室内の空気が送風される排気風路が形成され、前記全熱交換素子は前記給気風路と前記排気風路とが交差する位置に設けられ、前記給気パネルは、前記第２側面から突出する位置まで延長する延長部を含み、前記点検開口および前記点検パネルは前記延長部の直上に位置する構成を有する。
【００１６】
これにより、メンテナンスする際の作業性を向上させることができる。
【００１７】
また、前記給気パネルは、前記本体の直下に位置する非延長部を含み、前記給気口は、前記非延長部側には設けられず、前記延長部側に設けられる構成にしてもよい。
【００１８】
これにより、給気口と本体の距離が遠くなるので、メンテナンスする際の作業性を向上させつつ、給気口から室内に届く騒音を低減することができる。
【００１９】
また、前記本体は天井の上方に設けられ、前記給気パネルおよび前記環気パネルは室内空間に露出し、前記給気口から流れる空気は前記天井に平行な方向に沿って流れる構成にしてもよい。
【００２０】
これにより、屋外の空気を効率よく室内に供給することができる。
【００２１】
また、前記給気送風機は、下方を向いた給気吐出口を有し、前記給気吐出口から下方に吐き出された空気は、前記給気パネルの前記非延長部に当たることにより進行方向を変えられた後に、前記給気口から流れる構成にしてもよい。
【００２２】
これにより、室内に効率よく給気するとともに、給気口から室内に届く騒音をさらに低減することができる。
【００２３】
また、前記給気送風機から吐き出された空気は、前記パネル保持部および前記給気パネルに囲まれた領域を通過した後に、前記給気口から流れる構成にしてもよい。
【００２４】
これにより、メンテナンスする際の作業性を向上させつつ、給気口から室内に届く騒音をさらに低減することができる。
【００２５】
また、前記パネル保持部は、前記延長部の一部と重なるように延在して設けられる構成にしてもよい。
【００２６】
これにより、給気口から送風される風量を確保することができる。
【００２７】
また、前記パネル保持部は、前記延長部の５０％〜９５％と重なるように延在して設けられる構成にしてもよい。
【００２８】
これにより、給気口から送風される風量を確保しつつ、騒音を低減することができる。
【００２９】
また、前記本体は、前記環気口と連通し、室内の空気が吸い込まれる環気吸込口を備え、前記環気パネルは、前記環気吸込口の直下に設けられ、前記給気パネルと前記環気パネルとが一体である構成にしてもよい。
【００３０】
これにより、熱交換機器を天井に設置した際の意匠性を向上させることができる。
【００３１】
以下、本発明の実施の形態について図面を参照しながら説明する。
【００３２】
（実施の形態１）
図１に示すように、熱交換機器は、箱状の本体１と、ルーバー７と、給気送風機２と、排気送風機３と、全熱交換素子６とを備える。
【００３３】
ルーバー７は、給気パネル９と、環気パネル１０と、パネル保持部１１と、ルーバーフレーム１４と、点検パネル１６とを含む。
【００３４】
ルーバー７は、本体１の下面に設けられる。
【００３５】
ルーバー保持部８は、本体１とルーバー７を接続する。
【００３６】
給気パネル９および環気パネル１０は、パネル保持部１１によりルーバーフレーム１４に保持される。
【００３７】
ルーバー７は、給気パネル９側に給気口１２を、環気パネル１０側に環気口１３を有している。
【００３８】
また、ルーバー７は、本体１と給気パネル９および環気パネル１０との間に風路仕切り３２を有している。風路仕切り３２は例えば平板状で、本体１の下方において、室内に給気される空気が流れる空間と、室内から排気される空気が流れる空間とを仕切る。
【００３９】
本体１および点検パネル１６は天井１７の上方に設けられる。
【００４０】
ルーバーフレーム１４の一部と、パネル保持部１１と、給気パネル９と、環気パネル１０と、は天井１７の下方に設けられ、室内空間に露出している。
【００４１】
本体１は、環気口１３と連通し、室内の空気が吸い込まれる環気吸込口３４を備えている。
【００４２】
環気パネル１０は、環気吸込口３４の直下に設けられる。
【００４３】
本体１の第１側面２８には、外気口４および排気口５が設けられる。
【００４４】
本体１の第２側面２９には、メンテナンスパネル１５が設けられる。
【００４５】
給気送風機２および排気送風機３は、本体１内に設けられる。
【００４６】
給気送風機２は、外気を吐き出す給気吐出口３３を有している。なお、給気吐出口３３は、下方を向いて設けられ、下方に外気を吐き出す構成としてもよい。
【００４７】
給気送風機２により外気口４から給気口１２へ屋外の空気が送風される。この空気の流れＡは、新鮮な空気を室内へ供給する給気風路３０を通過する。
【００４８】
排気送風機３により環気口１３から排気口５へ室内の空気が送風される。この空気の流れＢは、室内の空気を屋外へ排出する排気風路３１を通過する。
【００４９】
本体１内において、全熱交換素子６は、給気風路３０と排気風路３１とが交差する位置に設けられる。全熱交換素子６は、排気の熱量を給気に供給する、または、給気の熱量を排気の熱量に供給する、熱回収の機能を有している。
【００５０】
ルーバー７の給気パネル９は、延長部１８と、非延長部１９と、を含む。
【００５１】
延長部１８は、本体１の第２側面２９からはみ出す（突出する）位置まで延長して設けられる部分である。すなわち、延長部１８は、本体１の直下には位置していない部分である。
【００５２】
給気パネル端部２３は、給気パネル９の給気口１２側における端部である。なお、給気パネル端部２３は、延長部１８の一部であってもよい。
【００５３】
非延長部１９は、第２側面２９からはみ出していない部分である。すなわち、非延長部１９は、本体１の直下に位置する部分である。
【００５４】
ルーバーフレーム１４は点検開口２５を形成する。
【００５５】
点検パネル１６は点検開口２５に設けられる。すなわち、点検パネル１６が点検開口２５に設けられると、例えば上方から、点検パネル１６が点検開口２５を覆うこととなる。
【００５６】
なお、点検パネル１６は取り外せる構成としてもよい。
【００５７】
点検パネル１６は例えばメンテナンスの際に開けられ（取り外され）、給気口から給気を行う場合は、閉められている（取り付けられている）としてもよい。
【００５８】
点検開口２５および点検パネル１６は、延長部１８の直上に位置する。
【００５９】
ここで、本実施の形態における空気の流れについて説明する。
【００６０】
空気の流れＡは、給気送風機２によって外気口４から給気口１２へ送風される屋外の空気の流れを示している。給気送風機２によって外気口４から取り込まれた空気は、給気吐出口３３から吐き出され、天井１７に平行な方向に沿って流れる。このとき、給気吐出口３３から吐き出された空気は、給気パネル９の非延長部１９に当たることにより進行方向を変えられた後に、給気口１２から室内に流れるとしてもよい。すなわち、給気吐出口３３から吐き出された空気は、パネル保持部１１および給気パネル９に囲まれた領域を通過した後に、給気口１２から流れるとしてもよい。
【００６１】
なお、パネル保持部１１および給気パネル９に囲まれた領域の上部を、点検パネル１６およびルーバーフレーム１４が覆う構成としてもよい。つまり、給気吐出口３３から吐き出された空気が、上部を点検パネル１６およびルーバーフレーム１４で、下部を給気パネル９で、側部をパネル保持部１１で仕切られる空間を流れる構成としてもよい。
【００６２】
なお、給気口１２は、非延長部１９側には設けられず、延長部１８側に設けられる構成としてもよい。これにより、本体１と給気口１２の距離が遠くなることになる。したがって、本体１内で発生する給気送風機２や排気送風機３の騒音が室内に届きにくくなるという効果を奏する。
【００６３】
また、給気口１２は、給気口正面部２６と給気口側面部２１を有していてもよい。給気口正面部２６は、主に第１側面２８に平行な方向に沿って空気を吹き出す部分であり、給気口側面部２１は主に第２側面２９に平行な方向に沿って空気を吹き出す部分である。
【００６４】
給気口正面部２６と給気口側面部２１を有することにより、複数方向（例えば３方向）から空気を送風することができ、より効率的に室内への給気を行うことができる。
【００６５】
空気の流れＢは、排気送風機３によって環気口１３から排気口５へ送風される室内の空気の流れを示している。排気送風機３によって環気口１３から取り込まれた空気は、環気吸込口３４から本体１に吸い込まれる。
【００６６】
なお、環気口１３は、環気口正面部２７と環気口側面部２２を有していてもよい。環気口正面部２７は、主に第１側面２８に平行な方向に沿って空気を吸い込む部分であり、環気口側面部２２は主に第２側面２９に平行な方向に沿って空気を吸い込む部分である。
【００６７】
環気口正面部２７と環気口側面部２２を有することにより、複数方向（例えば３方向）から空気を吸い込むことができ、より効率的に屋外への排気を行うことができる。
【００６８】
また、パネル保持部１１は延長部１８の一部と重なるようにして延在して設けられる構成にしてもよい。すなわち、パネル保持部端部２４が第２側面２９より突出した位置にあり、延長部１８上に位置していてもよい。このとき、パネル保持部端部２４は点検開口２５の直下に位置することとなる。
【００６９】
また、パネル保持部１１は、延長部１８の５０％〜９５％と重なるようにして延在して設けられる構成にしてもよい。すなわちパネル保持部端部２４が、第２側面２９を起点とした延長部１８の５０％〜９５％の位置にあるとしてもよい。
【００７０】
パネル保持部１１が延長部１８と重なるように延在して設けられることで、給気口１２から送風される風量を確保しつつ、室内に届く騒音を低減することができる。
【００７１】
なお、給気パネル９と環気パネル１０は一体であるという構成としてもよい。これにより、熱交換機器の意匠性を向上させることができる。
【００７２】
以上、本発明に係る熱交換機器について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００７３】
本発明に係る熱交換機器は、メンテナンスする際の作業性を向上させるものであるので、住宅やビル等の熱交換機器にも有用である。
【符号の説明】
【００７４】
１    本体
２    給気送風機
３    排気送風機
４    外気口
５    排気口
６    全熱交換素子
７    ルーバー
８    ルーバー保持部
９    給気パネル
１０    環気パネル
１１    パネル保持部
１２    給気口
１３    環気口
１４    ルーバーフレーム
１５    メンテナンスパネル
１６    点検パネル
１７    天井
１８    延長部
１９    非延長部
２１    給気口側面部
２２    環気口側面部
２３    給気パネル端部
２４    パネル保持部端部
２５    点検開口
２６    給気口正面部
２７    環気口正面部
２８    第１側面
２９    第２側面
３０    給気風路
３１    排気風路
３２    風路仕切り
３３    給気吐出口
３４    環気吸込口
Ａ    空気の流れ
Ｂ    空気の流れ
【図１】
2019011877.tif 000003
【図２】
2019011877.tif 000004
【図３】
2019011877.tif 000005
【図４】
2019011877.tif 000006
【図５】
2019011877.tif 000007